(57)【要約】本発明は、シャワー隔壁であって、少なくとも１つの板状の部材（３，４）から成っており、該板状の部材の少なくとも１つの端縁部にシール部材（１５，２３，２５）が設けられている形式のものに関する。視覚的効果に関して改善されたシャワー隔壁を形成するために、本発明によれば、シール部材（１５，２３，２５）に発光手段（１２）が設けられている。
2006504007.tif 000002
【特許請求の範囲】
【請求項１】
シャワー隔壁であって、少なくとも１つの板状の部材から成っており、該板状の部材の少なくとも１つの端縁部にシール部材が設けられている形式のものにおいて、
シール部材（１５，２３，２５）に発光手段（１２）が設けられていることを特徴とするシャワー隔壁。
【請求項２】
発光手段（１２）の光が板状の部材（３，４）の端縁部を越えて板状の部材（３，４）内に入射する、請求項１記載のシャワー隔壁。
【請求項３】
発光手段が板状の部材（３，４）の端縁部の手前に配置されている、請求項１または２記載のシャワー隔壁。
【請求項４】
シール部材（１５，２３，２５）が中空室を有しており、該中空室には有利にはＬＥＤ（１２）として形成された発光手段が配置されている、請求項１から３までのいずれか１項記載のシャワー隔壁。
【請求項５】
中空室に注型材料（１４）が全体的にまたは部分的に充填されている、請求項１から４までのいずれか１項記載のシャワー隔壁。
【請求項６】
発光手段（１２）が、板状の部材（３，４）の少なくとも部分長さにわたって、有利には板状の部材（３，４）の鉛直方向の長さ全体にわたって、及び／又は水平方向の長さ全体にわたって延びている、請求項１から５までのいずれか１項記載のシャワー隔壁。
【請求項７】
板状の部材（３，４）の有利には下面に下方のシール部材（５）が設けられていて、該シール部材（５）にはＬＥＤ（１２）のための電流供給のケーブル（７）が取り付けられている、請求項１から６までのいずれか１項記載のシャワー隔壁。
【請求項８】
ケーブル（７）が下方のシール部材（５）内に注型により埋め込まれている、請求項１から７までのいずれか１項記載のシャワー隔壁。
【請求項９】
下方のシール部材（５）に、ケーブル（７）を収容するためのケーブルスペース（６）が設けられている、請求項１から８までのいずれか１項記載のシャワー隔壁。
【請求項１０】
シール部材（２５）が、異なる方向に光を放射する２つのＬＥＤ（１２）列を有している、請求項１から９までのいずれか１項記載のシャワー隔壁。
【発明の詳細な説明】
【技術分野】
【０００１】
本発明は、シャワー隔壁であって、少なくとも１つの板状の部材から成っており、該板状の部材の少なくとも１つの端縁部にシール部材が設けられている形式のものに関する。
【０００２】
冒頭で述べた形式のシャワー隔壁は広く公知のものである。このようなシャワー隔壁は、通常、複数の板状の部材から成っていて、これらの部材が組み合わさってシャワーブースを形成する。この場合、板状の部材の端縁部には、隣接する部材への移行部を形成するシール部材が設けられている。これらの板状の部材は例えば、ガラスまたはプラスチックから成っていて、透明であり、または任意に着色されていても良い。いずれにせよ、個々の部材は大面積のスペース部材を形成するが、この部材が常に周りに調和してとけ込むわけではない。
【０００３】
さらに、ドイツ連邦共和国特許第３９０７６０７号明細書には、付加的にフレーム側に組み付けられる多目的モジュールを有するシャワー隔壁が記載されている。多目的モジュールはとりわけ、一方では内側から他方では外側からシャワーを照明する。
【０００４】
本発明の課題は、視覚的効果に関して改善されたシャワー隔壁を提供することにある。
【０００５】
この課題は、請求項１に記載の特徴により解決される。請求項１の対象の有利な構成は従属請求項に記載されている。
【０００６】
シール部材に照明手段が設けられていることにより、シャワー隔壁の大面積の部材を彩り、種々様々な部屋の状況に良好に適応することができる視覚的効果が得られる。したがってたとえば、シール部材のための相応の材料のもとでは、光がシール部材から出射することができる。
【０００７】
有利な別の構成によれば、光が板状の部材の端縁部を介して板状の部材へと入射する。これによりファンタジックな効果が得られるだけではなく、光がシール部材を介してだけではなく板状の部材の面を介して出射されると視覚的な効果も高められる。ファンタジックな効果は、板状の部材にストライプや水玉等のような模様が設けられているとさらに強調される。
【０００８】
発光手段が、板状の部材の端縁部の手前に配置されていると特に簡単に光が板状の部材に入射することができる。従って光を板状の部材の平面に直接に導入できる。
【０００９】
外部の障害物、例えば水、湿気等から発光手段を保護するために、有利な構成では、シール部材が中空室を有しており、該中空室内に有利にはＬＥＤとして形成された発光手段が配置されている。ＬＥＤの代わりに、有利には消費エネルギが少ない別の発光手段を使用することもできる。
【００１０】
外部の影響に対する発光手段の保護は、有利な別の構成によれば中空室に注型コンパウンド（流し込み材料）を少なくとも部分的に充填することによりさらに改善される。これにより湿気の侵入、ひいては発光手段の損傷または使用者の危険も回避される。
【００１１】
有利な構成によれば、発光手段は板状の部材の少なくとも部分長さにわたって、有利には板状の部材の鉛直方向の長さ全体にわたって延びている。従って発光手段は有利には、板状の部材の鉛直方向の端縁部にだけ設けられている。しかしながら、付加的に、板状の部材の水平方向の端縁部も照明することができる。
【００１２】
発光手段への視覚的に目立たない電力供給を保証するために、有利な別の構成では、板状の部材の有利には下方面に、ＬＥＤのための電力供給ケーブルが取り付けられている下方のシール部材が設けられている。
【００１３】
下方のシール部材へのケーブルの取付けは２つの形式で行われる。１つの方法では、ケーブルは下方のシール部材に流し込み成形により埋め込まれる。選択的な方法によれば、下方のシール部材にケーブルを収容するためのケーブルスペースを設ける。両方の場合で、ほぼ見えない電力供給が得られるだけではなく、電力供給部は外的な影響に対して安全に取り付けられる。
【００１４】
例えば９０度の角隅を形成するために、シール部材が、２つの板状の部材を収容するために形成されているならば、有利な構成によれば、シール部材は２つのＬＥＤ列を有し、その光は異なる方向に放射される。
【００１５】
本発明の詳細、特徴、利点は、以下に図面につき行う有利な実施例の説明により明らかである。
【００１６】
図１には、シャワー底部槽１の上に配置されているシャワー隔壁が示されている。このシャワー隔壁は複数の板状の部材３，４から成っている。これらの部材３，４は図示したように、部分的に扁平かつ部分的に湾曲されて形成されているが、単に湾曲状に形成されていても、または単に扁平状に形成されていても良い。板状の部材３，４は、壁２に固定された少なくとも１つの不動側方部分３と、少なくとも１つの摺動ウィング４とを有している。摺動ウィングの代わりに、旋回可能なウィングが設けられていても良い。
【００１７】
図２には、不動側方部分３と摺動ウィング４の側方図が示されている。下側には下方シール部材５が設けられていて、この下方シール部材５は不動側方部分３にも摺動ウィング４にも取り付けることができる。シール部材５には底面シールリップ９が設けられている。この底面シールリップ９はシャワー底部槽１の底面１０に支持されシールのために働く。
【００１８】
この下方シール部材５は図３および図３ａに２つの実施例で示されている。
【００１９】
下方シール部材５は図３の構成では２つの側方のリップ８を有しており、これらのリップ８は、リップ８の間で、かつ部材３，４の下側に、下方シール部材５の内部で、ケーブル７を案内することができるケーブルスペース６ができるように部材３，４の側面に密接している。ケーブル７を保護するためにケーブルスペース６にはさらに付加的に注型コンパウンドを充填することができる。
【００２０】
図３ａには、下方シール部材５の第２の構成が示されている。この第２の構成では、ケーブル７はシール材料によって直接取り囲まれている。ケーブル７を有したシール部材５は例えば接着または他の適当な方法で部材３，４に固定することができる。
【００２１】
図４〜図７には、本発明によるシャワー隔壁の種々様々な構成が示されている。この場合、部材３，４は、不動側方部分３であっても、運動方向１９，２０で動く旋回ウィング４または運動方向２１，２２で動く摺動ウィング４であっても良い。
【００２２】
図４〜図６に示されたシャワー隔壁の部材３，４は、端縁部１１にシール部材１５，２３，２５が設けられている。これらのシール部材１５，２３，２５は側方のリップ８で部材３，４に、部材３，４の端縁部の手前に中空室が形成されるように密接している。この中空室には発光手段が配置されている。発光手段は有利にはＬＥＤ１２または消費エネルギの少ない別の発光手段である。ＬＥＤ１２は、その光が部材３，４の端縁部１１に向けられ、端縁部１１を介して部材３，４内に進入し、側面から放射されるように配置されている。同時に、ＬＥＤ１２の光は、シール部材１５，２３，２５の構成により、程度の差はあれ強くシール部材１５，２３，２５から外へ漏れる。ＬＥＤ１２は、シール部材１５，２３，２５の内側のボックス状の自由室１８内に配置されている。自由室１８の、端縁部１１とは反対の側では、プリント基板１３がＬＥＤ１２に接続されている。ＬＥＤ１２は、少なくとも１つの部材３，４の少なくとも１つの端縁部１１に設けられていて良く、端縁部１１の長さの少なくとも一部にわたって延びている。しかしながら、両部材３，４の端縁部１１の鉛直方向の長さ全体にわたってＬＥＤ１２が配置されていると特に有利である。発光手段１２が配置されている、シール部材１５の中空室には、湿気の進入に対する保護のために注型コンパウンド１４が全体的にまたは部分的に充填されている。
【００２３】
図４〜図７にはシール部材１５，２３，２５の種々異なる構成が示されている。これらは、シャワーブースの構成に応じて使用される。
【００２４】
図４に示したシール部材１５は、端縁部１１とは反対の側に中空室１７が設けられていて、この中空室１７には磁石挿入体１６が配置されている。この磁石挿入体１６は、シャワー隔壁の別の部材３，４との密な結合のために働く。
【００２５】
図５には、シール部材２３の別の構成が示されている。この場合、端縁部１１とは反対の側に当接リップ２４が設けられている。さらに、この実施例では、ウイング４にだけ発光手段１２が設けられていて、不動側方部分３は、少なくともウィング４に面している側には発光手段１２を有していない。
【００２６】
図６には図５と似ている構成が示されているが、不動側方部分３にもＬＥＤ１２を備えたシール部材２５が配置されている。
【００２７】
図７には、２つの部材３，４が９０°の角度をなして互いに当接している角隅の構成が示されている。シール部材２５はこの場合、両部材３，４を結合させる９０°のアングル部材から成っている。シール部材２５にはＬＥＤ１２が配置されている。ＬＥＤ１２の光は種々様々な方向で放射される。一方のＬＥＤ１２は一方の部材３，４の端縁部１１に配置されていて、他方のＬＥＤ１２は他方の部材３，４の端縁部１１に配置されている。両部材３，４の間のシール部材２５に内に生じる中空室には、ＬＥＤ１２を接続するためのケーブル７が案内されている。さらに、中空室には注型コンパウンドが充填されている。
【００２８】
ＬＥＤ１２には付加的な回路が設けられている。この回路により、ＬＥＤ１２から放射される光をスイッチオン時間、明るさ、及び／又は色の配合に関して変化させることができる。さらにＬＥＤ１２は、入射する自然光に応じて、または存在している人に応じて、または任意の別のプログラムに応じて制御することができる。
【００２９】
本発明のシャワー隔壁に関する上記記載は、図面の説明のためのものであり、発明を制限するものではない。本発明の範囲内で、本発明の周辺技術および本発明と等価のものを逸脱することなく、種々様々な変化実施例および改良形が可能である。
【図面の簡単な説明】
【００３０】
【図１】本発明によるシャワー隔壁の全体を示した図である。
【図２】シャワー隔壁を形成する板状の部材の側方図である。
【図３】図２のＡ−Ａ線に沿った板状の部材の断面図であって、図３は第１実施例の下方領域を、図３ａは第２実施例の下方領域を示している。
【図４】本発明により形成された板状の部材の端縁部領域の第１実施例を示した図である。
【図５】本発明により形成された板状の部材の端縁部領域の第２実施例を示した図である。
【図６】本発明により形成された板状の部材の端縁部領域の第３実施例を示した図である。
【図７】本発明により形成された板状の部材の端縁部領域の第４実施例を示した図である。
【符号の説明】
【００３１】
１  シャワー底部槽、  ２  壁、  ３  不動側方部分、  ４  摺動ウィング、  ５  下方シール部材、  ６  ケーブルスペース、  ７  ケーブル、  ８  リップ、  ９  底部シールリップ、  １０  シャワー底部槽の底面、  １１  端縁部、  １２  ＬＥＤ、  １３  プリント基板、  １４  注型コンパウンド（流し込み材料）、  １５  シール部材、  １６  磁石挿入体、  １７  中空室、  １８  自由室、  １９，２０，２１，２２  運動方向、  ２３  シール部材、  ２４  当接リップ、  ２５  シール部材
【図１】
2006504007.tif 000003
【図２】
2006504007.tif 000004
【図３】
2006504007.tif 000005
【図４】
2006504007.tif 000006
【図５】
2006504007.tif 000007
【図６】
2006504007.tif 000008
【図７】
2006504007.tif 000009
【国際調査報告】
2006504007.tif 000010
2006504007.tif 000011
2006504007.tif 000012
2006504007.tif 000013